(57)【要約】【課題】室外へ排気される空気中の臭い成分をシンプルな構造で確実に除去できる新規な消臭ウェザーカバーの提供。【解決手段】壁面に形成された排気口の周囲を覆うように前記壁面に取り付けられるカバー本体１０と、このカバー本体１０のガス出口１１に設けられる消臭フィルター２０とを備える。これによって、室内空気がカバー本体１０を通過してそのガス出口１１から排気される際に、消臭フィルター２０でその臭い成分が除去されるため、臭いが外部に拡散することがなくなる。また、構造がシンプルであるため、制作コストも安価となる上に取り付けスペースも不要となる。【選択図】図１
2019023520.tif 000002
【特許請求の範囲】
【請求項１】
壁面に形成された排気口に取り付けられる消臭ウェザーカバーであって、
前記排気口の周囲を覆うように前記壁面に取り付けられるカバー本体と、当該カバー本体のガス出口に設けられる消臭フィルターとを備えたことを特徴とする消臭ウェザーカバー。
【請求項２】
請求項１に記載の消臭ウェザーカバーにおいて、
前記カバー本体のガス出口にガラリを取り付けると共に、前記ガラリに前記消臭フィルターを取り付けたことを特徴とする消臭ウェザーカバー。
【請求項３】
請求項２に記載の消臭ウェザーカバーにおいて、
前記ガラリの端部を前記カバー本体のガス出口にヒンジで開閉自在に取りつけると共に、前記ガラリの枠体に一対のスライド枠を取り付け、当該スライド枠間に前記消臭フィルターをスライドさせて取り付けたことを特徴とする消臭ウェザーカバー。
【請求項４】
請求項１乃至３のいずれかに記載の消臭ウェザーカバーにおいて、
前記消臭フィルターは、多孔質板の表面に活性炭粒子と空気触媒とを付着させてなることを特徴とする消臭ウェザーカバー。
【請求項５】
請求項４に記載の消臭ウェザーカバーにおいて、
前記多孔質板は、アルミニウムまたはアルミニウム合金からなることを特徴とする消臭ウェザーカバー。
【請求項６】
請求項１乃至５のいずれかに記載の消臭ウェザーカバーにおいて、
前記消臭フィルターの表面にダストフィルターを備えたことを特徴とする消臭ウェザーカバー。
【発明の詳細な説明】
【技術分野】
【０００１】
本発明は、建物の壁面に形成された排気口に取り付けられる消臭ウェザーカバーに関する。
【背景技術】
【０００２】
従来、工場や医療施設、飲食店の厨房などでは、室内で発生した臭いを除去するためにその排気口やダクトに脱臭装置が取り付けられていることが多い。この脱臭装置としては従来から様々なものが提案されているが、例えば以下の特許文献１では、排煙ダクトの終端にオイルフィルターやファンを備えたボックスを設け、そのボックスの底部に消臭液を溜め、その消臭液によって排ガス中の臭いを消すようにした排煙浄化装置が開示されている。
【０００３】
また、以下の特許文献２では、フードと排気ファンを繋ぐダクト内に、消臭フィルターを設け、この消臭フィルターによってダクトを通過する排煙中の臭いを除去するようにした排煙換気システムが開示されている。また、以下の特許文献３には、室内の空気を脱臭する消臭フィルターとして、酸化チタンと多孔質吸着材料を担持させたハニカムフィルタからなる光触媒フィルターを用いた空気清浄機が開示されている。
【先行技術文献】
【特許文献】
【０００４】
【特許文献１】実開昭６０−５５９２８号公報
【特許文献２】特開２００３−２０２１４５号公報
【特許文献３】特開２０００−８４０５６号公報
【発明の概要】
【発明が解決しようとする課題】
【０００５】
ところで、団地やアパート、マンションのような集合住宅では、室内の空気を排気するための排気口が廊下側に設置されているケースが多いため、換気扇を動かすと室内の臭いがそのまま廊下に排気される。このため、排気された臭い成分が廊下を伝わって近隣に拡散してしまい、苦情やトラブルの原因となることがある。また、戸建ての場合でも住宅密集地では排気口が隣接する住戸のすぐ近くにある場合があり、同様なトラブルが発生することがある。
【０００６】
しかしながら、集合住宅や戸建て住宅では、前記特許文献に示したような業務用の大掛かりな脱臭装置を取り付けることはコストや設置スペースなどの都合上、現実的でなく、従って、なるべく臭いを発生させないように個々で気を遣うしかなかった。
【０００７】
そこで、本発明はこれらの課題を解決するために案出されたものであり、その目的は、室外へ排気される空気中の臭い成分をシンプルな構造で確実に除去できる新規な消臭ウェザーカバーを提供することにある。
【課題を解決するための手段】
【０００８】
前記課題を解決するために第１の発明は、壁面に形成された排気口に取り付けられる消臭ウェザーカバーであって、前記排気口の周囲を覆うように前記壁面に取り付けられるカバー本体と、当該カバー本体のガス出口に設けられる消臭フィルターとを備えたことを特徴とする消臭ウェザーカバーである。
【０００９】
このような構成によれば、壁面に形成された排気口された室内空気がカバー本体を通過してそのガス出口から排気される際に、消臭フィルターを通過することによって、その臭い成分が除去されるため、臭いが外部に拡散することがなくなる。また、構造がシンプルであるため、制作コストも安価となる上に取り付けスペースも不要となるため、既存の殆どの家屋に容易に設置できる。
【００１０】
第２の発明は、第１の発明において、前記カバー本体のガス出口にガラリを取り付けると共に、前記ガラリに前記消臭フィルターを取り付けたことを特徴とする消臭ウェザーカバーである。このような構成によれば、ガラリのルーバーの角度を調節することで排ガスの流れ方向を調整できると共に、カバー本体内の目隠しやガス出口からの虫や鳥の侵入も防止できる。
【００１１】
第３の発明は、第２の発明において、前記ガラリの端部を前記カバー本体のガス出口にヒンジで開閉自在に取りつけると共に、前記ガラリの枠体に一対のスライド枠を取り付け、当該スライド枠間に前記消臭フィルターをスライドさせて取り付けたことを特徴とする消臭ウェザーカバーである。このような構成によれば、スライド枠に沿って消臭フィルターをスライドさせるだけで消臭フィルターの着脱が簡単になるため、消臭フィルターの点検・清掃作業や交換作業が容易となる。
【００１２】
第４の発明は、第１乃至第３の発明において、前記消臭フィルターは、多孔質板の表面に活性炭粒子と空気触媒とを付着させてなることを特徴とする消臭ウェザーカバーである。このような構成によれば、多孔質板表面の活性炭粒子が排気中の臭い成分を効果的に吸着すると同時に、吸着した臭い成分を空気触媒が分解することになる。これにより、吸着した臭い成分が消臭フィルターに残存しなくなるため、吸着能力が飽和し難くなり、長期に亘って優れた脱臭効果を持続できる。また、活性炭粒子自体は安価な上に、空気触媒はそれ自体が化学反応などして減少してしまうことはないため、メンテナンスコストも低く抑えることができる。
【００１３】
ここで、本発明で規定する空気触媒とは、例えば鉄（Ｆｅ）、アルミニウム（Ａｌ）、カリウム（Ｋ）、チタン（Ｔｉ）、水（Ｈ２Ｏ）を主成分とする無機化合物からなるものをいい、具体的にはニチリンケミカル株式会社で製造販売されているセルフィール（登録商標）という製品をそのまま使用することができる。そして、この触媒による排気中の臭い成分の分解は、次のような作用によって行われると考えられる。
【００１４】
すなわち、この触媒に含まれるカリウム４０（４０Ｋ）が空気中の水分子に働きかけ、ヒドロキシルラジカル（・ＯＨ）と過酸化水素が生成される。過酸化水素からは、その触媒中の鉄やチタンなどの遷移元素が働くフェントン反応によりヒドロキシルラジカルが生成される。また、過酸化水素から生成されたヒドロペルオキシルラジカル（・ＯＯＨ）や空気中の酸素を原料とする反応によりスーパーオキシドイオン（Ｏ２−）が生成され、このスーパーオキシドイオンも排気中の臭い成分の分解反応に寄与する。
【００１５】
また、この触媒は排気中に含まれる水からヒドロキシルラジカルを生み出し、同じくその排気中の酸素からスーパーオキシドイオンを生成する。そして、これらのラジカルは役割を終えれば再び水と酸素に戻り、室内空気と共に排気口から排出されることになる。空気触媒は、その触媒作用を発揮するに際し、光触媒のような紫外線を必要としないことから、光が届き難い場所であっても排気中の酸素と水分さえあれば触媒効果を発揮し続けることができる。
【００１６】
第５の発明は、第４の発明において、前記多孔質板は、アルミニウムまたはアルミニウム合金からなることを特徴とする消臭ウェザーカバーである。このように多孔質板を耐熱・耐食性の金属であるアルミニウムから構成することにより、優れた耐熱性・耐久性を発揮できるため、何度でも再利用することが可能となり、メンテナンスコストが安価となる。
【００１７】
第６の発明は、第１乃至第５の発明において、前記消臭フィルターの表面に布または紙製のダストフィルターを備えたことを特徴とする消臭ウェザーカバーである。このような構成によれば、消臭フィルターによる脱臭処理前に排ガス中に含まれるゴミなどがこのダストフィルターで除去されるため、消臭フィルターの目詰まりを防止できる。
【発明の効果】
【００１８】
本発明の消臭ウェザーカバーは、排気口に取り付けられるカバー本体と、このカバー本体のガス出口に設けられる消臭フィルターとからなるため、室外へ排気される空気中の臭い成分をシンプルな構造で確実に除去できる。
【図面の簡単な説明】
【００１９】
【図１】本発明に係る消臭ウェザーカバー１００の実施の一形態を示す斜視図である。
【図２】本発明に係る消臭ウェザーカバー１００の作用を示す断面図である。
【図３】消臭フィルター２０の一例を示す斜視図である。
【図４】図３中Ａ部を示す部分拡大図である。
【図５】消臭フィルター２０表面の構造を示す拡大断面図である。
【図６】ガラリ３０に消臭フィルター２０を着脱する状態を示す説明図である。
【図７】図２中Ａ部を示す部分拡大図である。
【図８】本発明に係る消臭ウェザーカバー１００の他の実施形態を示す斜視図である。
【発明を実施するための形態】
【００２０】
以下、本発明の実施の形態を添付図面を参照しながら説明する。図１は本発明に係る消臭ウェザーカバー１００の実施の一形態を示したものである。図示するようにこの消臭ウェザーカバー１００は、建物の壁面Ｗに形成された排気口Ｈの室外側に取り付けられて用いられるものであり、排気口Ｈの周囲を覆うように取り付けられるカバー本体１０と、このカバー本体１０のガス出口１１に設けられる消臭フィルター２０とから構成されている。
【００２１】
カバー本体１０は、図１および図２に示すように、金属板またはプラスチック製の板を箱状に組み合わせてなるものであり、壁面Ｗに面する背面側には、矩形状のガス入口１２が形成されていると共に、その底面には同じく矩形状のガス出口１１が形成されている。そして、このカバー本体１０のガス入口１２の縁部にはこれに沿ってフランジ１２ａが形成されており、図１に示すようにそのフランジ１２ａをコンクリートねじ１３などによって排気口Ｈの周囲の壁面Ｗに固定することで排気口Ｈの周囲を覆うようになっている。
【００２２】
すなわち、このカバー本体１０は、排気口Ｈの上方に位置する上板１０ａと、排気口Ｈの両側に位置する一対の側板１０ｂ、１０ｂと、排気口Ｈの正面に位置する斜板１０ｃおよび縦板１０ｄとから構成されている。なお、この排気口Ｈの室内側には、図示しないダクトや換気扇が設けられており、室内の空気を排気口Ｈから強制的に室外、すなわちカバー本体１０内に排気するようになっている。
【００２３】
消臭フィルター２０は、図３に示すように矩形状をした多孔質板２１の周囲を金属製の枠体２２で囲んだ構造となっている。この多孔質板２１は図４に示すようにアルミニウムまたはアルミニウム合金製の板２１ａから構成されており、図４に示すように幅ｗが０．５〜１．０ｍｍ程度の六角形状の穴２１ｂを縦横に連接したハニカム構造となっている。そして、これらの穴２１ｂを介してカバー本体１０内の排気をその板厚方向に通過させるようになっている。
【００２４】
また、図５に示すように、この多孔質板２１の表面、すなわち六角形状の穴２１ｂを区画構成するアルミニウム板２１ａの表面には活性炭層２４が形成されていると共に、その活性炭層２４には、空気触媒粒子２３が付着している。この活性炭層２４は多孔質の活性炭粒子２４ａが０．数ｍｍ程度の厚さで堆積したものであり、この活性炭粒子２４ａによって排気中に含まれている臭い成分を吸着するようになっている。
【００２５】
一方、空気触媒粒子２３は、前述したように、例えば鉄（Ｆｅ）、アルミニウム（Ａｌ）、カリウム（Ｋ）、チタン（Ｔｉ）、水（Ｈ２Ｏ）を主成分とする無機化合物粒子からなっており、排気中の水分や酸素に働きかけて排気中の臭い成分および活性炭層２４に吸着された臭い成分を分解して消臭するようになっている。
【００２６】
この消臭フィルター２０は、矩形状をしたカバー本体１０のガス出口１１とほぼ同じ大きさ、例えば縦Ｌ３００〜３５０ｍｍ、横Ｗ２７０〜３００ｍｍ、厚さＴ１０〜２０ｍｍ程度の大きさとなっており、ガス出口１１全体を覆うようにガラリ３０を介してカバー本体１０に取り付けられている。
【００２７】
ガラリ３０は、図１および図７に示すように矩形状の枠体３０ａにルーバー（羽板）３０ｂを複数取り付けたものであり、カバー本体１０のガス出口１１をこれら複数のルーバー３０ｂで覆うと共に、消臭フィルター２０を支持固定するようになっている。また、このガラリ３０の枠体３０ａ端部は、図６に示すようにヒンジ３１によってカバー本体１０に軸支されており、このヒンジ３１を軸として下方に回動してガス出口１１を開閉自在となっている。
【００２８】
さらに、図６および図７に示すように、このガラリ３０の枠体３０ａの他端部には、ねじ穴３０ｃが形成されており、このねじ穴３０ｃに差し込まれる止めねじ４０によってその他端部がカバー本体１０の縦板１０ｄ側に着脱自在に固定されるようになっている。また、図１および図７に示すようにこのガラリ３０の枠体３０ａ上には、断面コ字形をした一対のスライド枠３０ｄ、３０ｄが対向するように設けられており、図１および図６に示すように、このスライド枠３０ｄ、３０ｄ間に消臭フィルター２０をスライドさせて取り付けるようになっている。
【００２９】
このような構成をした本発明に係る消臭ウェザーカバー１００の作用を説明すると、図２に示すように、排気口Ｈから室外に排出された室内空気は、カバー本体１０内へ流れ、その正面の斜板１０ｃ、縦板１０ｄに沿って下方に案内され、ガス出口１１から順次室外に排気される。このガス出口１１は、ガラリ３０およびこれに取り付けられた消臭フィルター２０で覆われていることから、このガス出口１１から排出されるすべての排気は、この消臭フィルター２０を通過することによって、その臭い成分の殆どが分解・除去されることになる。
【００３０】
なお、この消臭フィルター２０で消臭可能な臭いの種類は制限なく、あらゆる室内臭の原因となる臭い成分を分解除去できる。例えば、厨房やレンジから出る調理臭、生ゴミ臭、トイレ臭、ペットやタバコの臭い、ペット糞尿臭、下水臭の他、歯科技工所などから出る加工臭などである。より具体的にはこれらの悪臭の原因物質であるアンモニア、硫化水素、硫化メチル、メチルメルカプタン、トリメチルアミン、酢酸、アセトアルデヒド、メチルメルカプタン、ピリジン、トルエン、スチレン、イソブチルアルデヒド、プロピオン酸、ノルマル酪酸、イソ吉草酸などを効果的に分解除去して無臭化できる。
【００３１】
これによって、ガス出口１１からの排気はその殆どが無臭化されるため、近隣に臭いが拡散するのを未然に防止できる。また、この消臭ウェザーカバー１００は、従来の脱臭装置に比べて構造がシンプルであるため、制作コストも安価となる上に、取り付けスペースも不要となるため、既存の殆どの家屋に容易に設置できる。すなわち、カバー本体１０を既存の排気口Ｈの周囲を覆うように壁面Ｗに取り付けるだけで済むため、新築時はもちろん、後付けも容易に行うことができる。
【００３２】
また、この消臭フィルター２０は、前述したように多孔質板２１表面の活性炭粒子２４ａが排気中の臭い成分を効果的に吸着すると同時に、吸着した臭い成分を空気触媒粒子２３が分解することになる。これにより、吸着した臭い成分が消臭フィルター２０に残存しなくなるため、吸着能力が飽和し難くなり、長期に亘って優れた脱臭効果を持続できる。また、活性炭粒子２４ａ自体は安価な上に、空気触媒粒子２３はそれ自体が化学反応などして減少してしまうことはないため、メンテナンスコストも低く抑えることができる。
【００３３】
また、このガス出口１１をガラリ３０で覆うことにより、そのルーバー３０ｂの角度を調節することで排気の流れ方向を調整できると共に、そのルーバー３０ｂによってカバー本体１０内の目隠しやガス出口１１から雨水や虫、鳥などの侵入も防止できる。また、ガラリ３０のスライド枠３０ｄに沿って消臭フィルター２０をスライドさせるだけで簡単に着脱できるため、消臭フィルター２０の点検・清掃作業や交換作業も容易になる。また、消臭フィルター２０を構成する多孔質板２１を耐熱・耐食性の金属であるアルミニウムまたはアルミニウム合金から構成することにより、優れた耐熱性・耐久性を発揮できるため、何度でも再利用することが可能となり、メンテナンスコストが安価となる。
【００３４】
さらに、図８に示すようにこの消臭フィルター２０の表面に、布または紙（不織布）製のダストフィルター５０を重ねて設けるようにすれば、消臭フィルター２０による脱臭処理前に排気中に含まれるゴミなどがこのダストフィルター５０で濾過、除去されるため、消臭フィルター２０の目詰まりを防止できる。そして、このダストフィルター５０を、消臭フィルター２０とほぼ同じ大きさのフィルター枠５１とその内側のフィルター部５２で構成すれば、消臭フィルター２０と共にガラリ３０のスライド枠３０ｄ、３０ｄ間にスライドさせるだけで簡単に取り付けることができる。
【符号の説明】
【００３５】
１００…消臭ウェザーカバー
１０…カバー本体
１１…ガス出口
２０…消臭フィルター
２１…多孔質板
２３…空気触媒粒子
２４…活性炭層
２４ａ…活性炭粒子
３０…ガラリ
３０ｄ…スライド枠
３１…ヒンジ
５０…ダストフィルター
Ｈ…排気口
Ｗ…壁面
【図１】
2019023520.tif 000003
【図２】
2019023520.tif 000004
【図３】
2019023520.tif 000005
【図４】
2019023520.tif 000006
【図５】
2019023520.tif 000007
【図６】
2019023520.tif 000008
【図７】
2019023520.tif 000009
【図８】
2019023520.tif 000010